(57)【要約】【課題】一つのプロジェクタで多機能もしくは多用途を実現することができるディスプレイユニットを提供する。【解決手段】ディスプレイユニット１００は、投影機としての基本性能のみを有する卓上プロジェクタ１０と、卓上プロジェクタ１０を介して画像を投影するスクリーン２０と、からなる。卓上プロジェクタ１０は、パーソナルコンピュータ本体３０から送られてくる画像をスクリーン２０に投影し、既存のディスプレイ４０に対するセカンドディスプレイとして機能する。【選択図】　　図１
2004085993.tif 000002
【特許請求の範囲】
【請求項１】
投影機としての基本性能のみを有する卓上プロジェクタと、
前記卓上プロジェクタを介して画像を投影するスクリーンと、
からなるディスプレイユニット。
【請求項２】
前記卓上プロジェクタが接続されるパーソナルコンピュータをさらに備え、前記卓上プロジェクタは前記パーソナルコンピュータから送信される画像を前記スクリーンに投影するものであることを特徴とする請求項１に記載のディスプレイユニット。
【請求項３】
前記スクリーンは三脚付きのスクリーンであることを特徴とする請求項１または２に記載のディスプレイユニット。
【請求項４】
前記スクリーンは壁掛け用のスクリーンであることを特徴とする請求項１または２に記載のディスプレイユニット。
【発明の詳細な説明】
【０００１】
【発明の属する技術分野】
本発明は、超小型の卓上プロジェクタを用いたディスプレイユニットに関する。
【０００２】
【従来の技術】
近年におけるパーソナルコンピュータ（以下「ＰＣ」と呼ぶ）の高性能化は目覚ましく、ハ−ド面においては処理能力の大容量化及び高速化が進む中、ソフト面においてはこれをベースとして「ウィンドウ」を用いたオペレーティングシステム（ＯＳ）が普及し、複数のアプリケーションをストレスなく、同時に作業進行することが常識となった。
【０００３】
また、ディスプレイにおいても、このＰＣの高性能化に対応すべく、一台のＰＣに２台のディスプレイを接続し、画面表示を行ういわゆるデュアルディスプレイに対する需要が高まっている。
【０００４】
ただし、限られた机上スペースに２台目のディスプレイ（以下「セカンドディスプレイ」と呼ぶ）を増設することは、特に、ビジネスシーンにおいては深刻な問題であり、比較的薄型の液晶表示（ＬＣＤ）モニタを選択することが可能であっても、セカンドディスプレイの設置により生まれるデッドスペースはデュアルディスプレイの普及の足かせとなっている。
【０００５】
一方、ホームエンターテインメントに目を向けると、ＤＶＤの普及に伴い、家庭で映画鑑賞を楽しむことが一般的になってきており、スクリーンなどに画像を表示するための液晶プロジェクタに対する需要が高まっている。その中でも、小さいスペースで大きな画面を表示することが可能な小型液晶プロジェクタがホームシアター用のディスプレイとして注目を集めている。
【０００６】
ホームユースを狙った小型液晶プロジェクタは、ユーザへの受容性を高めるべく、コストダウンが進み、比較的安価な商品も製品化されているが、小型液晶プロジェクタは、映画鑑賞にのみ用いられるものであるため、利用頻度は低い。利用頻度が低い家電製品としては未だ高価であり、そのため、一般家庭への普及は伸び悩んでいる。
【０００７】
これまでに多くの液晶プロジェクタあるいは非液晶プロジェクタが提案されている。
【０００８】
例えば、特開昭６３−１８２９７９号公報は、液晶テレビと、この液晶テレビの映像面を投射するために液晶テレビを着脱可能にしたプロジェクタ装置と、このプロジェクタ装置の上部に設けた背面投写型スクリーンに投射するためのプロジェクタ装置の前部に設けた昇降可能な全反射ミラーとからなる液晶テレビプロジェクタシステムを提案している。
【０００９】
また、実願昭６３−１０１８３１号（実開平２−２４８８２）は、パーソナルコンピュータによって予め画像情報を書き込まれたＩＣカードまたはマイクロフロッピーディスクその他のカード状記録媒体と、この記録媒体が挿入されると、この記録媒体から画像情報を読み取るリーダーと、このリーダーにより読み取られた画像データによって表示内容が制御される液晶表示部と、液晶表示部の背後に配置された光源と、この光源から発せられ、液晶表示部を透過した光の進行方向を制御する液晶表示部の前方に配置された反射鏡と、からなり、リーダー、液晶表示部、光源及び反射鏡を携帯用ケース内に一体的に組み込み、カード状記録媒体を介してパーソナルコンピュータとの情報授受を行う携帯用オーバーヘッドプロジェクタを提案している。
【００１０】
【発明が解決しようとする課題】
しかしながら、特開昭６３−１８２９７９号公報に提案されている液晶テレビプロジェクタシステムにおけるプロジェクタ装置はこのシステム専用に作られた液晶テレビにのみ使用できるものであり、他の液晶テレビあるいは他の映像表示装置に使用できるものではない。
【００１１】
また、実願昭６３−１０１８３１号に提案されている携帯用オーバーヘッドプロジェクタも特定のパーソナルコンピュータ専用に作られるものであり、あるパーソナルコンピュータに使用可能な携帯用オーバーヘッドプロジェクタが他の種類のパーソナルコンピュータに使用可能であるとは限らない。
【００１２】
さらに、この携帯用オーバーヘッドプロジェクタはパーソナルコンピュータ専用であり、テレビその他の映像表示装置には使用することができない。
【００１３】
本発明は、このような従来のプロジェクタにおける問題点に鑑みてなされたものであり、一つのプロジェクタで多機能もしくは多用途を実現することができるディスプレイユニットを提供することを目的とする。
【００１４】
【課題を解決するための手段】
この目的を達成するため、本発明は、投影機としての基本性能のみを有する卓上プロジェクタと、前記卓上プロジェクタを介して画像を投影するスクリーンと、からなるディスプレイユニットを提供する。
【００１５】
本ディスプレイユニットは、前記卓上プロジェクタが接続されるパーソナルコンピュータをさらに備えることができ、この場合、前記卓上プロジェクタは前記パーソナルコンピュータから送信される画像を前記スクリーンに投影する。
【００１６】
前記スクリーンとしては、例えば、三脚付きのスクリーンまたは壁掛け用のスクリーンを用いることができる。
【００１７】
【発明の実施の形態】
図２は、本発明の第一の実施形態に係るディスプレイユニット１００を示す斜視図である。
【００１８】
本実施形態に係るディスプレイユニット１００は、投影機としての小型の卓上プロジェクタ１０と、卓上プロジェクタ１０を介して画像を投影するスクリーン２０と、から構成されている。
【００１９】
本実施形態に係るディスプレイユニット１００に隣接して、パーソナルコンピュータ本体３０と、パーソナルコンピュータ本体３０に接続され、パーソナルコンピュータ本体３０から送信されてきた画像を表示するディスプレイ４０と、が配置されている。
【００２０】
図２に示すように、スクリーン２０はディスプレイ４０と並べて配列されている。
【００２１】
図１は、本実施形態における卓上プロジェクタ１０の構造を示す透視斜視図である。
【００２２】
最初に、図１を参照して、卓上プロジェクタ１０の構造を説明する。
【００２３】
卓上プロジェクタ１０は、投影機能実装エリア１１ａを有する卓上プロジェクタ本体１１と、画像調整や歪み補正などの機能を実行するための調整ボタン１２と、パーソナルコンピュータ本体３０からの出力信号を受信するためのＰＣ系（ＲＧＢ）入力コネクタ１３と、コンポーネント入力コネクタ１４と、Ｓ映像入力コネクタ１５と、冷却用ファン１６と、電源供給用コネクタ１７と、を備えている。
【００２４】
卓上プロジェクタ１０は、その投影サイズが１５乃至５０型（インチ）になるように構成されている。現在製品化されている小型液晶プロジェクタは、投影サイズが２５乃至３００型程度になるように設定されているが、これを小型サイズに限定することにより、投影機能実装エリア１１ａを構成するレンズユニット、ＬＣＤパネル、ランプを小型化することが可能となり、卓上プロジェクタ本体１１の小型化及びコストダウンを図ることができ、投影距離の短縮を実現することができる。
【００２５】
また、明るい室内で使用されるＰＣ用セカンドディスプレイとして使用される場合には、卓上プロジェクタ１０は１５乃至２０型程度のサイズに用途が限られるため、プロジェクタにありがちな画像の明度不足も解決される。
【００２６】
卓上プロジェクタ１０の大きな特徴は、投影機としての基本性能以外の付加機能は極力省く仕様とされている点である。
【００２７】
図１に示されているように、卓上プロジェクタ１０に設けられているボタンは画像調整や歪み補正などの機能を実行するための調整ボタン１２のみであり、卓上プロジェクタ１０には画像調整や歪み補正などに関連する機能以外の機能は付与されていない。
【００２８】
さらに、卓上プロジェクタ１０に設けられているコネクタとしては、画像入力系統のＰＣ系（ＲＧＢ）入力コネクタ１３と、ＡＶ機器系のコンポーネント入力コネクタ１４及びＳ映像入力コネクタ１５の各１系統だけであり、音声出力用のスピーカとその入力端子などの端子は卓上プロジェクタ１０には設けられていない。
【００２９】
また、後述するように、卓上プロジェクタ１０は使用者の比較的近くに設置することが可能であるため、リモコン機能を有する必要はなく、リモコン機能も省略することが可能である。これらの機能の省略により生まれた卓上プロジェクタ本体１１内のスペースに、冷却用ファン１６や電源供給用コネクタ１７を有効的に実装することが可能となる。
【００３０】
現在製品化されている小型プロジェクタは、付加価値を高めるべく数々の機能を搭載しており、また一部には小型化やコストダウンを狙うばかりにＰＣ系入力機能を省いた製品も存在している。
【００３１】
これに対して、本実施形態においては、卓上プロジェクタ１０に付与する用途を適切に限定し、小型化やコストダウンを図ると同時に利用シーンを広げていくことにより、利用価値や購入意欲を高め、ユーザに受容される商品になっている。
【００３２】
再び図２を参照すると、本実施形態においては、スクリーン２０としては、三脚付きのスクリーンが使用されている。スクリーン２０は、ユーザの幅広い使用環境に応えるべく、様々な形態を揃えることができ、ユーザが好みに応じたスクリーンを自由に選択することができるようになっている。
【００３３】
以下、図２を参照して、本実施形態に係るディスプレイユニット１００をＰＣ用のセカンドディスプレイとして利用する場合の設置例を説明する。
【００３４】
１５型（インチ）サイズの三脚付きのスクリーン２０を既存ディスプレイ４０の横に配置し、また、卓上プロジェクタ１０はスクリーン２０に映写できる机上の任意の位置に配置するとともに、セカンドディスプレイに対応したパーソナルコンピュータ本体３０に卓上プロジェクタ１０を接続する。
【００３５】
パーソナルコンピュータ本体３０から送られてくる映像は、既存ディスプレイ４０及びスクリーン２０の何れか一方または双方に表示され、ユーザは本実施形態に係るディスプレイユニット１００を既存ディスプレイ４０に対するセカンドディスプレイとして利用することができる。
【００３６】
また、スクリーン２０を３脚付きスクリーンとすることにより、壁などの被投影体が存在しない机上においても、自由に画像を表示することが可能となり、使用しない場合はスクリーン２０を撤去し、机上スペースを有効に活用することができる。
【００３７】
図３は、本発明の第二の実施形態に係るディスプレイユニット２００を示す斜視図である。
【００３８】
本実施形態に係るディスプレイユニット２００は、投影機としての小型の卓上プロジェクタ１０と、卓上プロジェクタ１０を介して画像を投影するスクリーン２１と、から構成されている。
【００３９】
第一の実施形態の場合と同様に、本実施形態に係るディスプレイユニット２００に隣接して、パーソナルコンピュータ本体３０と、パーソナルコンピュータ本体３０に接続され、パーソナルコンピュータ本体３０から送信されてきた画像を表示するディスプレイ４０と、が配置されている。さらに、机２２の前方には、パーテッションその他の壁２３が設置されている。
【００４０】
上述の第一の実施形態の場合には、スクリーン２０として三脚付きのスクリーンを用いたが、本実施形態においては、机２２の前方に配置されているパーテッションその他の壁２３を利用する壁掛け用のスクリーン２１を用いることができる。
【００４１】
例えば、スクリーン２１としては、白色布を用いることができる。壁２３に白色布としてのスクリーン２１を取り付け、スクリーン２１に画像を投影するだけでセカンドディスプレイを机上に形成することができ、省スペースにも有効である。
【００４２】
図４は、本発明の第三の実施形態に係るディスプレイユニット３００を示す斜視図である。本実施形態に係るディスプレイユニット３００は、ホームシアター用ディスプレイとして利用する場合の実施形態である。
【００４３】
本実施形態に係るディスプレイユニット３００は、投影機としての卓上プロジェクタ１０と、卓上プロジェクタ１０を介して画像を投影するスクリーン２４と、から構成されている。
【００４４】
本実施形態に係るディスプレイユニット３００とともに、卓上プロジェクタ１０とスクリーン２４との間には、画像再生機５０と、画像再生機５０に接続され、画像再生機５０が再生する画像に同期して音声を出力する一対のスピーカ５１と、が配置されている。
【００４５】
本実施形態においては、卓上プロジェクタ１０の機能上限サイズ（５０型）を選択し、大画面を楽しむため、スクリーン２４としては大型スクリーンを用いる。スクリーン２４は、壁掛け式のものでもよく、あるいは、自立式のものでもよい。
【００４６】
また、配置に自由度を持たせるため、卓上プロジェクタ１０を置くためのフロアスタンド１８を用意すると、様々な部屋の形態に対応することができる。
【００４７】
本実施形態に係るディスプレイユニット３００は以下のようにして用いられる。
【００４８】
卓上プロジェクタ１０は画像再生機５０に接続されており、画像再生機５０から送られてくる画像は卓上プロジェクタ１０を介してスクリーン２４に対応した大きさでスクリーン２４に投影される。さらに、一対のスピーカ５１は、画像再生機５０が再生する画像に同期して音声を出力する。このように、本実施形態に係るディスプレイユニット３００をホームシアター用ディスプレイとして利用することができる。
【００４９】
図５は、本発明の第四の実施形態に係るディスプレイユニット４００を示す斜視図である。
【００５０】
本実施形態に係るディスプレイユニット４００における卓上プロジェクタ１０は、図５に示すように、ホームエンターテイメントロボット６０に実装して利用される。
【００５１】
ロボット６０にはＤＶＤ等のメディアプレーヤが内蔵されており、卓上プロジェクタ１０はロボット６０の可動式の頭部などに着脱可能な構造で実装される。卓上プロジェクタ１０はロボット６０に対して着脱可能であるため、必要ある場合のみ、ロボット６０に装着され、それ以外の場合には、ロボット６０から取り外して、上述の第一乃至第三の実施形態のような他の目的に有効利用することができる。例えば、図４に示した第三の実施形態の場合と同様に、ホームシアター用ディスプレイとして活用できるほか、卓上プロジェクタ１０をロボット６０から取り外した状態において、ロボット６０からのメッセージを表示することも可能となり、エンターテイメントロボットの利用範囲を大きく広げることに貢献する。
【００５２】
図６は、本発明の第五の実施形態に係るディスプレイユニット５００を示す斜視図である。本実施形態に係るディスプレイユニット５００は、会議用プロジェクタとして利用される。
【００５３】
本実施形態に係るディスプレイユニット５００は、投影機としての小型の卓上プロジェクタ１０と、卓上プロジェクタ１０を介して画像を投影するスクリーン２５と、から構成されている。
【００５４】
スクリーン２５は、壁掛け式スクリーンまたは自立式スクリーンである。
【００５５】
本実施形態に係るディスプレイユニット５００の周囲には、会議室用の机・椅子と、既存のディスプレイ６１と、ノート式のパーソナルコンピュータ６２と、が配置されている。
【００５６】
スクリーン２５は既存ディスプレイ６１の横に配置され、また、卓上プロジェクタ１０はスクリーン２５に映写できる任意の位置に配置される。卓上プロジェクタ１０は、セカンドディスプレイに対応したパーソナルコンピュータ６２に接続されている。
【００５７】
パーソナルコンピュータ６２から送られてくる映像は、既存ディスプレイ６１及びスクリーン２５の何れか一方または双方に表示され、ユーザは本実施形態に係るディスプレイユニット５００を既存ディスプレイ６１に対するセカンドディスプレイとして利用することができる。
【００５８】
このように、本実施形態に係るディスプレイユニット５００は、ノート型パーソナルコンピュータ６２を用いることにより、少人数の会議用ディスプレイとして使用することが可能であり、この場合は、スクリーン２５としては大型スクリーンを利用することが好ましい。
【００５９】
小規模の会議であれば、卓上プロジェクタ１０は５０型サイズの画面を有していれば十分有効であり、音声出力用のスピーカやリモコンなどの機能も不要である。卓上プロジェクタ１０は、コンパクトで可搬性に優れているため、十分な利便性を提供する。
【００６０】
【発明の効果】
本発明に係るディスプレイユニットによれば、以下の効果を得ることができる。
【００６１】
ビジネスシーンにおいて、デュアルディスプレイを省スペースで実現することができる。
【００６２】
また、同じ装置を変更を加えることなく小人数会議用ディスプレイとしても利用することができ、コストメリットにつながる。
【００６３】
ホームエンターテイメントにおいて、本発明に係るディスプレイユニットをＰＣ用セカンドディスプレイと兼用することにより、プロジェクタの稼働率すなわち利用価値が上がり、ユーザにより広く普及させることが可能となる。
【００６４】
プロジェクタの小型化により、ホームエンターテイメントロボットへの搭載も可能となり、ロボットによるホームシアターやメッセージ表示を行うことにより、ロボットの利用範囲を拡大することができる。
【図面の簡単な説明】
【図１】本発明の第一の実施形態に係るディスプレイユニット１００を構成する卓上プロジェクタの透過斜視図である。
【図２】本発明の第一の実施形態に係るディスプレイユニット１００の配置例の斜視図である。
【図３】本発明の第二の実施形態に係るディスプレイユニット２００の配置例の斜視図である。
【図４】本発明の第三の実施形態に係るディスプレイユニット３００の配置例の斜視図である。
【図５】本発明の第四の実施形態に係るディスプレイユニット４００の配置例の斜視図である。
【図６】本発明の第五の実施形態に係るディスプレイユニット５００の配置例の斜視図である。
【符号の説明】
１００　第一の実施形態に係るディスプレイユニット
１０　卓上プロジェクタ
１１　卓上プロジェクタ本体
１１ａ　投影機能実装エリア
１２　調整ボタン
１３　ＰＣ系（ＲＧＢ）入力コネクタ
１４　コンポーネント入力コネクタ
１５　Ｓ映像入力コネクタ
１６　冷却用ファン
１７　電源供給用コネクタ
２０　スクリーン
３０　パーソナルコンピュータ本体
４０　ディスプレイ
２００　第二の実施形態に係るディスプレイユニット
２１　スクリーン
２２　机
２３　壁
３００　第三の実施形態に係るディスプレイユニット
２４　スクリーン
１８　フロアスタンド
５０　画像再生機
５１　スピーカ
４００　第四の実施形態に係るディスプレイユニット
６０　ロボット
６１　ディスプレイ
６２　パーソナルコンピュータ
【図１】
2004085993.tif 000003
【図２】
2004085993.tif 000004
【図３】
2004085993.tif 000005
【図４】
2004085993.tif 000006
【図５】
2004085993.tif 000007
【図６】
2004085993.tif 000008